【手続補正書】
【提出日】平成28年10月11日(2016.10.11)
【手続補正１】
【補正対象書類名】特許請求の範囲
【補正対象項目名】全文
【補正方法】変更
【補正の内容】
【特許請求の範囲】
【請求項１】
一酸化窒素送達用のシステムであって：
第1の一酸化窒素供給源を備える第1のプラットフォーム、
第2の一酸化窒素供給源を備える第2のプラットフォーム、
該第1のプラットフォーム及び該第2のプラットフォームに接続された送達ライン、並びに
該第1のプラットフォーム及び該第2のプラットフォームを同時に動作させるように構成された制御装置を含む、前記システム。
【請求項２】
一酸化窒素放出化合物を一酸化窒素に変換することができる還元剤及び担体を含む1つ以上のレセプタクルを含む、請求項1記載のシステム。
【請求項３】
前記第1の一酸化窒素供給源が、第1の一酸化窒素放出化合物を含み、好ましくは該第1の一酸化窒素放出化合物が二酸化窒素を含み、かつ/又は該第1の一酸化窒素供給源が一酸化窒素を含む、請求項1又は2記載のシステム。
【請求項４】
前記第2の一酸化窒素供給源が第2の一酸化窒素放出化合物を含み、好ましくは前記第1の一酸化窒素放出化合物及び該第2の一酸化窒素放出化合物が同じ化合物であり、又は該第2の一酸化窒素放出化合物が二酸化窒素を含み、又は該第2の一酸化窒素供給源が一酸化窒素を含む、請求項1〜3のいずれか一項記載のシステム。
【請求項５】
前記第1の一酸化窒素供給源及び/又は前記第2の一酸化窒素供給源がレザバを含む、請求項1〜4のいずれか一項記載のシステム。
【請求項６】
前記各レザバが四酸化二窒素を含み、かつ/又は該各レザバが、1つ以上のリストリクタ、好ましくは2つ以上のリストリクタを備える、請求項5記載のシステム。
【請求項７】
前記各リストリクタが長さを有し、第1のリストリクタの長さが、第2のリストリクタの長さと実質的に同一であり、又は該第1のリストリクタの長さが、該第2のリストリクタの長さと異なる、請求項6記載のシステム。
【請求項８】
前記各リストリクタが内径を有し、第1のリストリクタの内径が、第2のリストリクタの内径と実質的に同一であり、又は該第1のリストリクタの内径が、該第2のリストリクタの内径と異なる、請求項6又は7記載のシステム。
【請求項９】
前記各リストリクタが、ガスの該リストリクタの通過を可能にする開位置及びガスの該リストリクタの通過を防止する閉位置を有する弁を備え、好ましくは前記制御装置が、該各リストリクタの該弁を該開位置と該閉位置との間で独立して切り替えるように構成されている、請求項5〜8のいずれか一項記載のシステム。
【請求項１０】
前記制御装置が、第1のレザバが動作するべき第1の設定温度を表す温度入力を受信するように構成され、かつ/又は該制御装置が、第2のレザバが動作するべき第2の設定温度を表す温度入力を受信するように構成される、請求項1〜9のいずれか一項記載のシステム。
【請求項１１】
前記第1のプラットフォームが第1の加熱装置を含み、好ましくは該第1の加熱装置が、前記第1の一酸化窒素供給源のレザバに熱的に接続されており、かつ/又は該第1の加熱装置が、該第1の一酸化窒素供給源のレザバの1つ以上のリストリクタに熱的に接続されており、好ましくは前記第2のプラットフォームが第2の加熱装置を含み、好ましくは該第2の加熱装置が、前記第2の一酸化窒素供給源のレザバに熱的に接続されており、かつ/又は該第2の加熱装置が、該第2の一酸化窒素供給源のレザバの1つ以上のリストリクタに熱的に接続されている、請求項1〜10のいずれか一項記載のシステム。
【請求項１２】
前記第1のプラットフォームが、前記第1の一酸化窒素供給源に接続された第1のレセプタクルを含み、該第1のレセプタクルが、前記第1の一酸化窒素放出化合物を一酸化窒素に変換することができる第1の還元剤及び第1の担体を含み、かつ/又は前記第2のプラットフォームが、前記第2の一酸化窒素供給源に接続された第2のレセプタクルを含み、該第2のレセプタクルが、前記第2の一酸化窒素放出化合物を一酸化窒素に変換することができる第2の還元剤及び第2の担体を含む、請求項3〜11のいずれか一項記載のシステム。
【請求項１３】
1つ以上の一酸化窒素センサを備えるセンサモジュールを含み、好ましくは前記センサモジュールが前記送達ラインに接続されており、かつ/又は前記制御装置が、該1つ以上の一酸化窒素センサの少なくとも1つから検出信号を受信するように構成されている、請求項1〜12のいずれか一項記載のシステム。
【請求項１４】
前記センサモジュールが、1つ以上の一酸化窒素センサを備える第1のセンサライン及び1つ以上の一酸化窒素センサを備える第2のセンサラインを含み、好ましくは前記制御装置が、該第1のセンサラインの1つ以上の一酸化窒素センサの少なくとも1つから第1の検出信号を受信し、かつ該第2のセンサラインの1つ以上の一酸化窒素センサの少なくとも1つから第2の検出信号を受信するように構成されている、請求項13記載のシステム。
【請求項１５】
前記制御装置が、前記送達ラインを介して送達されるべき一酸化窒素の設定量を表す一酸化窒素信号を受信するように構成されており、好ましくは該制御装置が前記第1の検出信号及び前記第2の検出信号のそれぞれを該一酸化窒素信号と比較して、該第1の検出信号又は該第2の検出信号が、該一酸化窒素信号の5％を超えて該一酸化窒素信号と異なる場合に、又は該第1の検出信号又は該第2の検出信号が、該一酸化窒素信号の10％を超えて該一酸化窒素信号と異なる場合に、警報を発するように構成されている、請求項14記載のシステム。
【請求項１６】
前記第1のセンサモジュール及び/又は前記第2のセンサモジュールが1つ以上の二酸化窒素センサ及び/又は1つ以上の酸素センサを含む、請求項15記載のシステム。
【請求項１７】
前記第1のプラットフォームが、前記送達ラインの前に第1の流量弁を備え、該第1の流量弁が、第1のガスの該第1のプラットフォームから該送達ラインへの流れを可能にするように構成された第1の位置、及び該第1のガスの第1のダンプラインを介した該第1のプラットフォームからの排出を可能にするように構成された第2の位置を有し、又は該システムが、該送達ラインの前の該第1のプラットフォームに第1の流量弁を備え、該第1の流量弁が、該第1のガスの該第1のプラットフォームから該送達ラインへの流れを可能にするように構成された開位置、及び該第1のガスの該第1のプラットフォームから該送達ラインへの流れを防止するように構成された閉位置を有する、請求項1〜16のいずれか一項記載のシステム。
【請求項１８】
第1のダンプ弁によって前記第1のプラットフォームに接続された第1のダンプラインを含み、該第1のダンプ弁が、前記第1のガスの該第1のプラットフォームから該第1のダンプラインへの流れを可能にするように構成された開位置、及び該第1のガスが該第1のダンプラインに流れるのを防止するように構成された閉位置を有する、請求項1〜17のいずれか一項記載のシステム。
【請求項１９】
前記第2のプラットフォームが、前記送達ラインの前に第2の流量弁を備え、該第2の流量弁が、前記第2のガスの該第2のプラットフォームから該送達ラインへの流れを可能にするように構成された第1の位置、及び該第2のガスのダンプラインを介した該第2のプラットフォームからの排出を可能にするように構成された第2の位置を有する、請求項1〜18のいずれか一項記載のシステム。
【請求項２０】
前記システムが少なくとも1つの一酸化窒素較正流体を含む一酸化窒素較正基準のセットをさらに含み、該各一酸化窒素較正流体が、異なる既知の量の一酸化窒素を有し、好ましくは前記制御装置が、前記第1のプラットフォームの1つ以上の一酸化窒素センサの少なくとも1つが、前記少なくとも1つの一酸化窒素較正流体中の一酸化窒素の既知の量と10％以上異なる一酸化窒素ガスの量を少なくとも2つの一酸化窒素較正流体の1つで検出すると、前記第1の流量弁を前記開位置から前記閉位置に切り替えるように構成されており、かつ/又は前記制御装置が、前記第2のプラットフォームの1つ以上の二酸化窒素センサの少なくとも1つが、前記少なくとも1つの一酸化窒素較正流体中の一酸化窒素の既知の量と10％以上異なる一酸化窒素ガスの量を該少なくとも2つの一酸化窒素較正流体の1つで検出すると、前記第2の流量弁を該開位置から該閉位置に切り替えるように構成されており、かつ前記システムがさらに少なくとも1つの二酸化窒素較正流体を含む二酸化窒素較正基準のセットを含み、該各二酸化窒素較正流体が、異なる既知の量の二酸化窒素を有し、かつ/又は該システムが、さらに少なくとも1つの酸素較正流体を含む酸素較正基準のセットを含み、該各酸素較正流体が、異なる既知の量の酸素を有する、請求項1〜19のいずれか一項記載のシステム。